(57)【要約】  本発明は、単純な冠動脈床病変及び複雑な冠動脈床病変の場合に冠動脈ステントを最大限に正確、迅速かつ安全に位置決めするための医療での使用のほか、腎臓動脈、内臓動脈のステント留置に適している。請求項に記載の装置はハウジングを具備する。ハウジングは、周方向に延びるスロットによって互いに接続される前部及び後部であって、ハウジングの後部が回転可能であるように接続される前部及び後部と、ランナのネジ山に螺合されるキャップを有するランナと、ランナに収容されるフックを有するコレットであって、その軸回りに回転可能であるように収容されるコレットと、耳部を有する保持具とから形成される。ここで、ランナのキャップは保持具内に配置される。装置の使用準備が整うと、送達システムによって担持される冠動脈ステントが先ず装置の中に徐々に挿入され、次に送達システム上の冠動脈ステントは冠動脈の罹患領域に手動で前進させられ、送達システムは装置内に固定され、ハウジングの後部を回転させることによって冠動脈内に位置決めされる。
2020516332.tif 000002
【特許請求の範囲】
【請求項１】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りを回転することを可能にすることを特徴とする、装置において、
前記ハウジングの切頭前部は、操作者の手によって冠動脈ガイドを固定するための凹部を備え、
ランナが、前記ハウジングの前記円筒形後部の雌ネジと係合する突起と、一方の側で前記前部内部のガイドに沿って移動する突起と、前記ランナ内に収容されるフック付き金属製コレットと、を備え、
前記コレットは、他方の側で前記ランナに螺合するネジ付きキャップに配置され、前記ハウジングの両側の側孔内に突出する耳部を有する保持具内に配置され、前記ハウジングの前記スロットでは、ランナカップ上に突起が配置される、装置。
【請求項２】
前記ハウジングの前記前部上のほか、前記ハウジングの前記後部上に、前記ハウジングの前記前部を前記後部に接続する前記スロットに沿って特殊なマークを形成することを特徴とする、請求項１に記載の装置。
【請求項３】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りを回転することを可能にすることを特徴とする、装置において、
前記ハウジングの切頭前部に、操作者の手によって冠動脈ガイドを固定するための凹部を形成し、
ランナが、前記ハウジングの前記円筒形後部の前記雌ネジと係合する突起と、一方の側で前記ハウジングの前記前部内のガイドに沿って移動する突起と、前記ランナ内に収容され、前記ランナと一体的に形成され、他方の側で前記ランナに螺合するネジ付きキャップに収容されるプラスチック製クランプと、を備え、
前記ランナは、前記ハウジングの両側の側孔に突出する耳部を有する保持具内に配置され、前記ハウジングの前記スロットでは、ランナカップ上に突起が配置される、装置。
【請求項４】
前記ハウジングの前記前部上のほか、前記ハウジングの前記後部上に、前記ハウジングの前記前部を前記後部に接続する前記スロットに沿って特殊なマークを形成することを特徴とする、請求項３に記載の装置。
【請求項５】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りに回転することを可能にすることを特徴とする、装置において、
前記ハウジングの切頭前部に、操作者の手によって冠動脈ガイドを固定するための凹部を形成し、
ランナが、前記ハウジングの前記円筒形後部の前記雌ネジと係合する突起と、一方の側で前記ハウジングの前記前部内のガイドに沿って移動する突起と、前記ランナ内に配置されるプラスチック製クランプであって、その軸回りに回転可能であるように配置され、他方の側で前記ランナに螺合するネジ付きキャップに収容されるプラスチック製クランプと、を備え、
前記ランナは、前記ハウジングの両側の側孔に突出する耳部を有する保持具内に配置され、前記ハウジングの前記スロットでは、ランナカップ上に突起が配置される、装置。
【請求項６】
前記ハウジングの前記前部上のほか、前記ハウジングの前記後部上に、前記ハウジングの前記前部を前記後部に接続する前記スロットに沿って特殊なマークを形成することを特徴とする、請求項５に記載の装置。
【請求項７】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りに回転することを可能にすることを特徴とする、装置において、
前記ハウジングの切頭前部に、操作者の手によって冠動脈ガイドを固定するための凹部を形成し、
ランナが、前記ハウジングの前記円筒形後部の前記雌ネジと係合する突起と、一方の側で前記ハウジングの前記前部内のガイドに沿って移動する突起と、前記ランナ内に配置されるゴム製ブッシュであって、キャップ及びランナのブッシュの内部円錐形表面と一致する円錐形端面を備え、
前記ブッシュは、前記キャップに配置され、他方の側で前記ランナに螺合するネジ山を備え、
前記ランナは、前記ハウジングの両側の側孔に突出する耳部を有する保持具内に配置され、前記ハウジングの前記スロットでは、ランナカップ上に突起が配置される、装置。
【請求項８】
前記ハウジングの前記前部上のほか、前記ハウジングの前記後部上に、前記ハウジングの前記前部を前記後部に接続する前記スロットに沿って特殊なマークを形成することを特徴とする、請求項７に記載の装置。
【請求項９】
冠動脈内に冠動脈ステントを位置決めする方法であって、
冠動脈ステント送達システムが前記装置のハウジングに収容された時点で、
保持具の耳部が回転させられ、その結果、保持具内に配置されたキャップの側部突起が保持具のスロットと共に回転して、前記キャップをランナから取り外し、それによって、送達システムを受容する貫通孔を形成しながらコレットのフックを開き、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記コレットのフックを圧縮し、 
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、 
固定された前記送達システムは、前記装置内で必要な距離だけ水平に移動する一方、前記コレットはその軸回りに回転させられ、前記冠動脈ガイドは、前記ハウジングの切頭前部に形成された凹部に操作者の手によって押し付けられる、ことを特徴とする、方法。
【請求項１０】
冠動脈内に冠動脈ステントを位置決めする方法であって、
冠動脈ステント送達システムが装置のハウジングに収容された時点で、
保持具の耳部が回転させられ、その結果、保持具内に配置されたキャップの側部突起が保持具のスロットと共に回転して、前記キャップをランナから取り外し、それによって、送達システムを受容する貫通孔を形成しながら、前記ランナと一体的に形成されたクランプのフラップを開き、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記クランプのフラップを圧縮し、
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、
固定された前記送達システムは、前記装置内で必要な距離だけ水平に移動し、前記冠動脈ガイドは、前記ハウジングの切頭前部に形成された凹部に操作者の手によって押し付けられる、ことを特徴とする、方法。
【請求項１１】
冠動脈内に冠動脈ステントを位置決めする方法であって、
冠動脈ステント送達システムが装置のハウジングに収容された時点で、
保持具の耳部が回転させられ、その結果、保持具内に配置されたキャップの側部突起が保持具のスロットと共に回転して、前記キャップをランナから取り外し、それによって、送達システムを受容する貫通孔を形成しながら、クランプのフラップを開き、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記クランプのフラップを圧縮し、
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、
固定された前記送達システムは、前記装置内で必要な距離だけ水平に移動移動する一方、前記クランプはその軸回りに回転させられ、前記冠動脈ガイドは、前記ハウジングの切頭前部に形成された凹部に操作者の手によって押し付けられる、ことを特徴とする、方法。
【請求項１２】
冠動脈内に冠動脈ステントを位置決めする方法であって、
冠動脈ステント送達システムが装置のハウジングに収容された時点で、
保持具の耳部が回転させられ、その結果、保持具内に配置されたキャップの側部突起が保持具のスロットと共に回転して、前記キャップをランナから取り外し、それによって、送達システムを受容する貫通孔を形成しながら、前記キャップに収容されるゴム製ブッシュを拡張し、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記ゴム製ブッシュを圧縮し、
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、
固定された前記送達システムは、前記装置内で必要な距離だけ水平に移動移動する一方、前記クランプはその軸回りに回転させられ、前記冠動脈ガイドは、前記ハウジングの切頭前部に形成された凹部に操作者の手によって押し付けられる、ことを特徴とする、方法。
【発明の詳細な説明】
【技術分野】
【０００１】
本発明は、単純な冠動脈床病変及び複雑な冠動脈床病変の場合、具体的には、病変によって狭くなった動脈部分の内腔を修復するための血管内冠動脈ステント留置術の場合の冠動脈内に、冠動脈ステントを最大限に正確、迅速かつ安全に位置決めするための医療の分野の使用に適する。
【０００２】
本発明による装置は、冠動脈の入口部病変、左冠動脈幹及び右冠動脈口の病変を含む冠動脈の分岐病変の場合のほか、「重なり」ゾーンを減らすための「ステント・イン・ステント（ｓｔｅｎｔ−ｉｎ−ｓｔｅｎｔ）」冠動脈ステント留置術の場合の使用を意図する。
【０００３】
この装置の使用により、患者及び医療関係者の放射線曝露のほか、放射線不透過性造影剤への患者の曝露を著しく減少させることが可能になる。
【０００４】
この装置は、介入心臓病学の分野での専門的能力の開発時に若い専門家によって容易に使用されてもよい。
【０００５】
さらに、請求項に記載の装置はこのほか、同じように、腎動脈、内臓動脈にステント留置するために使用されてもよい。
【背景技術】
【０００６】
冠動脈ステント留置術のための多数の装置が医療機器市場で入手可能である。
【０００７】
特に、特許文献１（米国特許第６，２９３，９６４号明細書）は、Ｍｅｒｉｔ  Ｍｅｄｉｃａ（米国）から入手可能なＯＳＴＩＡＬ  ＰＲＯを開示する。この特許による装置は、冠動脈ステントと共に誘導カテーテル内に挿入可能な４つの舌状部から作成される円錐部を備える。誘導カテーテルは冠動脈口内に選択的に位置決めされる。冠動脈ステントは、冠動脈口よりも遠位の位置までカテーテルに沿って誘導され、次いで誘導カテーテルが冠動脈口から引き抜かれ、装置が展開される。装置が誘導カテーテルを離れると、その舌状部が広がって大動脈壁に当接し、その結果、誘導カテーテル先端部は、左冠動脈幹及び右冠動脈幹の入口部ステント留置に必要な冠動脈口内に選択的に位置決めできない。罹患領域内で冠動脈ステントをその後に位置決めすることは全体的に手動で実施される。
【０００８】
既知の装置の不利な点には、左冠動脈幹及び右冠動脈幹の入口部病変の場合のほか、冠動脈ステントの手動位置決めの場合にのみ特に、その適用性が限られていることが挙げられる。
【０００９】
このほか、Ｓｅｖｅｎ  Ｓｏｎｓ  ＯＪＳＣによって所有されている特許文献２（ロシア国特許第２５９８７９８号明細書）による「冠動脈内に冠動脈ステントを安全に位置決めする装置」が知られている。
【先行技術文献】
【特許文献】
【００１０】
【特許文献１】米国特許第６，２９３，９６４号明細書
【特許文献２】ロシア国特許第２５９８７９８号明細書
【発明の概要】
【００１１】
請求項に記載の装置は主に以下の点で異なる。
−冠動脈内で冠動脈ステントをさらに迅速に、さらに正確に位置決めする点、
−ステントを手動で位置決めするのではなく、機械的に位置決めする点、
−冠動脈ステント位置決めの時間短縮によって患者及び医療関係者の放射線暴露が低減する点、
−冠動脈床の任意の部分に病変がある場合に装置を適用できる点、
−冠動脈ステント位置決め時間の短縮によって放射線不透過性造影剤への患者の曝露を低減する点、
−用途が単一である点、
−装置は外科医の手の延長部として都合よく構成される点、
−重量と寸法のパラメータが最小である点、
−使いやすい点、
−生産の費用対効果が高い点。
【００１２】
請求項に記載の装置は、内部に配置されたランナ（ｒｕｎｎｅｒ）を有するハウジングを備える。このランナは、送達システムを受容する穴と、ハウジングの円筒形後部の雌ネジに係合する突起と、ハウジング内の一側のガイドに沿って移動する突起と、送達システム及びフックを受容する穴を内部に有する金属コレットと、を有する。このコレットは、送達システムを受容する穴を有するキャップ内に配置され、反対側のランナに螺合されるネジ山を備える。
【００１３】
周方向に延びるスロットによって互いに接続された切頭円筒形前部と円筒形後部とから形成されたハウジングはプラスチック製であり、ハウジングの切頭円筒形前部の両側に操作者の指のための凹部を備える。ここで、本体の右半体及び左半体は、別々に製造され、機構がハウジングの内側部分の縁部に配置された突起及び穴を介して組み立てられた時点で互いに接続される。ハウジングの前部とハウジングの後部とを接続するスロットに沿うハウジングの前部のほか、ハウジングの後部にも、ランナが移動するにつれて、ハウジングの後部の回転角度に関して付加的な視覚的情報を操作者に提供する特殊なマークが配置される。
【００１４】
ハウジングの円筒形前部は、ハウジングの両側の側孔に突出する耳部を有する保持具を備え、ハウジングの内側には、フック付きコレットを収容するランナに螺結されたキャップが配置される。
【００１５】
操作者の左手親指と左手人差し指で保持されるように構成されたハウジングの切頭前部には、操作者が装置を定位置に固定することを可能にする凹部が形成される。左手親指用凹部はこのほか、冠動脈ガイドを固定するためのパッドとして機能する。冠動脈ステント送達システムをハウジングに挿入するための貫通孔がハウジングの前部及び後部に形成される。
【００１６】
スロットが、ハウジングにてハウジングの円筒形前部と円筒形後部との間に形成され、円筒形後部がその軸回りに回転可能であるように前部と後部とを接続する。
【００１７】
ハウジングの円筒形前部の内側に配置された保持具の耳部は、ハウジングの前部の側部切欠きに収容される。耳部は、保持具をハウジングに対して回転可能にする。ハウジングのスロットでは、ランナコレットのランナカップ収容フックに突起が配置される。このようなフックは、係合されると、キャップがランナに螺合されるかランナから取り外され、それによってコレットフックを折り畳むか拡張させ、それに応じて冠動脈ステント送達システムを固定するか解放するように、キャップを一方向又は別方向に回転させる。同時に、キャップは、ハウジングの円筒形後部が接続スロットにて回転するにつれて、ランナと共に同じスロットに沿って水平に移動する。
【００１８】
保持具は、ハウジングの円筒形前部の側部切欠きに設けられた耳部を用いて回転させられると、キャップが回転して内側のコレットに螺合されるかコレットから取り外されるように形成される。ここで、コレットフックはキャップの位置に応じて開閉し、ハウジングの円筒形後部がその軸を中心に回転すると、ランナは、その突起がハウジングの円筒形後部の雌ネジと係合した時点でハウジングの前部のガイドに沿って水平に移動する。ランナ内に配置された冠動脈ステント送達システムは、コレットフックが締め付けられている間、ランナと同時に移動する。
【００１９】
保持機構をその初期位置に戻すために、保持具とハウジングの円筒形後部とを逆方向に作動させる。
【００２０】
そのような設計は、コレットフックが締め付けられている間、コレットがその軸回りに自由に回転することができるため、ステントがその軸回りに同時に回転できるようにしながら、ステントが前後に動くときに冠動脈ステント送達システムを堅固に固定することを可能にする。
【００２１】
このように、保持具の耳部の回転によりキャップがランナ本体から取り外されると、コレットフックが開き、その結果、冠動脈ステント送達システムはその自由な軸方向移動を可能にする自由状態になり、キャップが螺合されると送達システムを固定するためにコレットフックを閉じる。
【００２２】
装置の使用準備が整うと、コレットフックが開いている間に、送達システムに担持される冠動脈ステントを先ず装置内に徐々に挿入し、冠動脈ステント送達システムをハウジングに設けられた貫通孔を介して配置する。操作者は、装置内に配置された送達システムによって担持される冠動脈ステントを冠動脈の罹患領域まで手動で前進させる。次に、操作者は装置を左手で固定するのに必要な距離に移動させ、右手で保持具を回転させることによってコレットフックを用いて送達システムを固定し、さらにハウジングの円筒形後部を回転させてハウジングの回転運動をランナの並進運動に変換し、冠動脈ステントを血管内に位置決めするのに必要な距離まで送達システムを前進させる。操作者はこのほか、ハウジングの後部を前進させるとき、ハウジングの円筒形後部を必要な方向に回転させることによって、冠動脈ステント送達システムを保持する機構をその初期位置に戻し、その結果、冠動脈ステントを前方か後方にさらに位置決めすることを継続してもよい。
実施形態２
【００２３】
装置は、内部に配置されたランナを有するハウジングを備える。このランナは、送達システムを受容する穴と、ハウジングの円筒形後部の雌ネジに係合する突起と、一方の側でハウジング内部のガイドに沿って移動する突起と、送達システムを受容する穴を備えるプラスチック製クランプと、を有する。このプラスチック製クランプは、ランナと一体的に形成され、送達システムを受容する穴を有するキャップ内に配置され、他方の側でランナに螺合されるネジ山を備える。
【００２４】
周方向に延びるスロットによって互いに接続された切頭円筒形前部と円筒形後部とから形成されたハウジングは、プラスチック製であり、ハウジングの切頭円筒形前部の両側に操作者の指のための凹部を備える。ここで、本体の右半体及び左半体は別々に製造され、機構がハウジングの内側部分の縁部に配置された突起及び穴を介して組み立てられた時点で互いに接続される。
【００２５】
ハウジングの円筒形前部は、ハウジングの両側の側孔に突出する耳部を有する保持具を備え、ハウジングの内側には、プラスチック製クランプを収容するランナに螺結されたキャップが配置される。
【００２６】
操作者の左手親指と左手人差し指で保持されるように構成されたハウジングの切頭前部には、操作者が装置を定位置に固定することを可能にする凹部が形成される。ここで、左手親指用凹部はこのほか、冠動脈ガイドを固定するためのパッドとして機能する。冠動脈ステント送達システムをハウジングに挿入するための貫通孔がハウジングの前部及び後部に形成される。
【００２７】
周方向のスロットが、ハウジングの円筒形前部と円筒形後部との間でハウジング内に形成され、円筒形後部がその軸回りを回転可能であるように両部分を接続する。
【００２８】
ハウジングの内側に配置された保持具の耳部は、ハウジングの前部の側部切欠きに収容される。このような耳部は、保持具をハウジングに対して回転可能にし、ハウジングのスロットでは、ランナと一体的に形成されたプラスチック製クランプを収容するランナカップに突起が配置される。このクランプは、係合された時点で、キャップがランナに螺合されるかランナから取り外され、それによってそれぞれプラスチック製のクランプフラップを圧縮するか拡張させて冠動脈ステント送達システムを締め付けるか解放するときに、キャップを一方向又は別方向に回転させる。同時に、キャップは、ハウジングの円筒形後部が接続スロットにて回転するにつれて、ランナと共に同じスロットに沿って水平に移動する。
【００２９】
保持具は、ハウジングの円筒形前部の側面切欠きに設けられた耳部を用いて回転させられると、キャップが回転して内側のコレットに螺合するかコレットから取り外されるように形成される。ここで、コレットフックはキャップの位置に応じて開閉し、ハウジングの円筒形後部がその軸回りに回転すると、ランナは、突起がハウジングの円筒形後部の雌ネジに嵌合した時点でハウジングの前部のガイドに沿って水平に移動する。ランナ内に配置された冠動脈ステント送達システムは、コレット保持具が締め付けられている間、ランナと同時に移動する。
【００３０】
保持機構をその初期位置に戻すために、保持具とハウジングの円筒形後部とを逆方向に作動させる。
【００３１】
そのような設計は、ステントが前後に移動するときに冠動脈ステント送達システムを堅固に固定することを可能にする。
【００３２】
このようにして、保持具の耳部の回転によりキャップがランナ本体から取り外されると、プラスチック製のクランプフラップが開き、その結果、冠動脈ステント送達システムはその自由な軸方向移動を可能にする自由状態になる。キャップが螺合されると、クランプフラップが閉じて送達システムを固定する。
【００３３】
装置の使用準備が整うと、送達システムによって担持される冠動脈ステントが先ず、クランプフラップが開いている間に装置の中に徐々に挿入され、冠動脈ステント送達システムはハウジングに設けられた貫通孔を介して配置される。操作者は、装置内に配置された送達システムによって担持される冠動脈ステントを冠動脈の罹患領域まで手動で前進させる。次に、操作者は、装置を左手で固定するのに必要な距離に移動させ、保持具を右手で回転させることによってクランプフラップを用いて送達システムを固定し、さらにハウジングの円筒形後部を回転させてハウジングの回転運動をランナの並進運動に変換し、冠動脈ステントを血管内に位置決めするのに必要な距離まで送達システムを前進させる。ハウジングの後部を前進させるとき、操作者はこのほか、ハウジングの円筒形後部を必要な方向に回転させることによって冠動脈ステント送達システムを保持する機構をその初期位置に戻すことができ、その結果、冠動脈ステントの位置決めを前方又は後方のいずれかに継続してもよい。
実施形態３
【００３４】
装置は、内部に配置されたランナを有するハウジングを備える。このランナは、送達システムを受容する穴と、ハウジングの円筒形後部の雌ネジに係合する突起と、一方の側でハウジング内部のガイドに沿って移動する突起と、送達システムを受容する穴を備えるプラスチック製クランプと、を有する。このプラスチック製クランプは、その軸回りに回転可能であり、送達システムを受容する穴を有するキャップ内に配置され、他方の側でランナに螺合されるネジ山を備える。
【００３５】
周方向に延びるスロットによって互いに接続された切頭円筒形前部と円筒形後部とから形成されたハウジングは、プラスチック製であり、ハウジングの切頭円筒形前部の両側に操作者の指のための凹部を備える。ここで、本体の右半体及び左半体は別々に製造され、機構がハウジングの内側部分の縁部に配置された突起及び穴を介して組み立てられた時点で互いに接続される。
【００３６】
ハウジングの円筒形前部は、ハウジングの両側の側孔に突出する耳部を有する保持具を備え、ハウジングの内側には、プラスチック製クランプを収容するランナに螺結されたキャップが配置される。
【００３７】
操作者の左手親指と左手人差し指で保持されるように構成されたハウジングの切頭前部には、操作者が装置を定位置に固定することを可能にする凹部が形成される。ここで、左手親指用凹部はこのほか、冠動脈ガイドを固定するためのパッドとして機能する。冠動脈ステント送達システムをハウジングに挿入するための貫通孔がハウジングの前部及び後部に形成される。
【００３８】
スロットが、ハウジングの切頭部と円筒形部との間でハウジング内に周方向に形成され、円筒形後部がその軸回りを回転可能であるように両部分を接続する。
【００３９】
ハウジングの内側に配置された保持具の耳部は、ハウジングの前部の側部切欠きに収容される。このような耳部は、保持具をハウジングに対して回転可能にし、ハウジングのスロットでは、プラスチック製クランプであって、その軸回りに回転可能であるプラスチック製クランプを収容するランナカップに突起が配置される。このクランプは、係合された時点で、キャップがランナに螺合されるかランナから取り外され、それによってそれぞれプラスチック製のクランプフラップを圧縮するか拡張させて冠動脈ステント送達システムを締め付けるか解放するときに、キャップを一方向又は別方向に回転させる。同時に、キャップは、ハウジングの円筒形後部が接続スロットにて回転するにつれて、ランナと共に同じスロットに沿って水平に移動する。
【００４０】
保持具は、ハウジングの円筒形前部の側面切欠きに設けられた耳部を用いて回転させられると、キャップが回転して内側のコレットに螺合するかコレットから取り外されるように形成される。ここで、クランプフラップはキャップの位置に応じて開閉し、ハウジングの円筒形後部がその軸回りに回転すると、ランナは、突起がハウジングの円筒形後部の雌ネジに嵌合した時点でハウジングの前部のガイドに沿って水平に移動する。ランナ内に配置された冠動脈ステント送達システムは、クランプフラップが締め付けられている間、ランナと同時に移動する。
【００４１】
保持機構をその初期位置に戻すために、保持具とハウジングの円筒形後部とを逆方向に作動させる。
【００４２】
そのような設計は、ステントが前後に移動するときに冠動脈ステント送達システムを堅固に固定することを可能にする一方、冠動脈ステント送達システムをその軸回りに同時に回転させることができる。
【００４３】
このようにして、保持具の耳部の回転によりキャップがランナ本体から取り外されると、プラスチック製のクランプフラップが開き、冠動脈ステント送達システムはその自由な軸方向移動を可能にする自由状態になる。キャップが螺合されると、クランプフラップが閉じて送達システムを固定する。
【００４４】
装置の使用準備が整うと、送達システムによって担持される冠動脈ステントが先ず、クランプフラップが開いている間に装置の中に徐々に挿入され、冠動脈ステント送達システムはハウジングに設けられた貫通孔を介して配置される。操作者は、装置内に配置された送達システムによって担持される冠動脈ステントを冠動脈の罹患領域まで手動で前進させる。次に、操作者は、装置を左手で固定するのに必要な距離に装置を移動させ、保持具を右手で回転させることによってクランプフラップを用いて送達システムを固定し、さらにハウジングの円筒形後部を回転させてハウジングの回転運動をランナの並進運動に変換し、冠動脈ステントを血管内に位置決めするのに必要な距離まで送達システムを前進させる。ハウジングの後部を前進させるとき、操作者はこのほか、ハウジングの円筒形後部を必要な方向に回転させることによって冠動脈ステント送達システムを保持する機構をその初期位置に戻し、その結果、冠動脈ステントの位置決めをさらに前方又は後方のいずれかに継続してもよい。
実施形態４
【００４５】
装置は、内部に配置されたランナを有するハウジングを備える。このランナは、送達システムを受容する穴と、ハウジングの円筒形後部の雌ネジに係合する突起と、一方の側でハウジング内部のガイドに沿って移動する突起と、送達システムを収容する穴を備えたキャップと、ゴム製ブッシュと、を有する。このゴム製ブッシュは、送達システムを内側に収容する穴と、キャップとランナの内側の類似する面と一致する円錐形端面とを備える。このゴム製ブッシュはキャップ内に配置され、反対側のランナに螺合されるネジ山を備える。
【００４６】
周方向に延びるスロットによって互いに接続された切頭円筒形前部と円筒形後部とから形成されたハウジングは、プラスチック製であり、ハウジングの前部の両側に操作者の指のための凹部を備える。ここで、本体の右半体及び左半体は別々に製造され、機構がハウジングの内側部分の縁部に配置された突起及び穴を介して組み立てられた時点で互いに接続される。
【００４７】
ハウジングの円筒形前部は、ハウジングの両側の側孔に突出する耳部を有する保持具を備え、ハウジングの内側には、ゴム製ブッシュを収容するランナに螺結されたキャップが配置される。
【００４８】
操作者の左手親指と左手人差し指で保持されるように構成されたハウジングの切頭前部には、操作者が装置を定位置に固定することを可能にする凹部が形成される。ここで、左手親指用凹部はこのほか、冠動脈ガイドを固定するためのパッドとして機能する。冠動脈ステント送達システムをハウジングに挿入するための貫通孔がハウジングの前部及び後部に形成される。
【００４９】
周方向のスロットが、ハウジングの円筒形前部と円筒形後部との間でハウジング内に形成され、円筒形後部がその軸回りに回転可能であるように両部分を接続する。
【００５０】
ハウジングの内側に配置された保持具の耳部は、ハウジングの前部の側部切欠きに収容される。このような耳部は、保持具をハウジングに対して回転可能にし、ハウジングのスロットでは、内側にゴム製ブッシュを収容するランナカップに突起が配置される。ゴム製ブッシュは、 キャップとランナの類似する面と一致する円錐形端面を有する。この表面は、係合された時点で、キャップがランナに螺合されるかランナから取り外され、それによってそれぞれゴム製ブッシュを圧縮するか拡張させて冠動脈ステント送達システムを締め付けるか解放するときに、キャップを一方向又は別方向に回転させる。同時に、キャップは、ハウジングの円筒形後部が接続スロットにて回転するにつれて、ランナと共に同じスロットに沿って水平に移動する。
【００５１】
保持具は、ハウジングの前部の側部切欠きに設けられた耳部を用いて回転させられると、キャップが回転して内側のゴム製ブッシュに螺合するかゴム製ブッシュから取り外される。このとき、ゴム製ブッシュはキャップの位置に応じて圧縮されるか拡張され、ハウジングの円筒形後部がその軸回りに回転すると、ランナは、ランナの突起部がハウジングの円筒形後部の雌ネジと篏合した時点で、ハウジングの前部のガイドに沿って水平に移動する。ランナ内に配置された冠動脈ステント送達システムは、ゴム製ブッシュが締め付けられている間にランナと同時に移動する。
【００５２】
保持機構をその初期位置に戻すために、保持具とハウジングの円筒形後部とを逆方向に作動させる。
【００５３】
そのような設計は、ステントが前後に移動するときに冠動脈ステント送達システムを堅固に固定することを可能にする。
【００５４】
このようにして、保持具の耳部の回転によりキャップがランナ本体から取り外されると、ゴム製ブッシュが拡張し、その結果、冠動脈ステント送達システムはその自由な軸方向移動を可能にする自由状態になる。キャップが螺合されると、ゴム製ブッシュが圧縮されて送達システムを固定する。
【００５５】
装置の使用準備が整うと、送達システムによって担持される冠動脈ステントが先ず、ゴム製ブッシュが拡張されている間に装置の中に徐々に挿入され、冠動脈ステント送達システムはハウジングに設けられた貫通孔を介して配置される。操作者は、装置内に配置された送達システムによって担持される冠動脈ステントを冠動脈の罹患領域まで手動で前進させる。次に、操作者は、装置を左手で固定するのに必要な距離に装置を移動させ、保持具を右手で回転させることによってゴム製ブッシュを用いて送達システムを固定し、さらにハウジングの円筒形後部を回転させてハウジングの回転運動をランナの並進運動に変換し、冠動脈ステントを血管内に位置決めするのに必要な距離まで送達システムを前進させる。ハウジングの後部を前進させるとき、操作者はこのほか、ハウジングの円筒形後部を必要な方向に回転させることによって冠動脈ステント送達システムを保持する機構をその初期位置に戻し、その結果、冠動脈ステントの位置決めを前方又は後方のいずれかにさらに継続してもよい。
【図面の簡単な説明】
【００５６】
添付図面のリストを以下に提供する。
【図１】装置の全体図である。
【図２】側面図である。
【図３】上面図である。
【図４】コレットフックを有する装置の全体断面図である。
【図５】ランナキャップを有する装置の全体断面図である。
【図６】保持具を有する装置の全体断面図である。
【図７】装置の分解図である。
【図８】ランナの分離図である。
【図９】静止したプラスチック製クランプの断面図を有するランナの全体図である。
【図９ａ】静止したプラスチック製クランプを有するランナの全体図である。
【図９ｂ】静止したプラスチック製クランプを有するランナの分離図である。
【図１０】可動プラスチック製クランプの断面図を有するランナの全体図である。
【図１０ａ】可動プラスチック製クランプを有するランナの全体分離図である。
【図１１】ゴム製ブッシュの断面図を有するランナの全体図である。
【図１１ａ】ゴム製ブッシュを有するランナの分解図である。
【発明を実施するための形態】
【００５７】
以下、添付図面を参照しながら本発明をさらに説明する。
実施形態１
【００５８】
この装置は、操作者の指用の凹部３（図１、図２、図３）と冠動脈ステント送達システム３１を受容する穴４（図１、図２、図３、図４、図５、図６）とを有する切頭前部２及び円筒形前部５（図１、図２、図３）と、回転可能な円筒形後部１０とから形成されたハウジング１（図１）を備える。この円筒形後部は、冠動脈ステント送達システム３１（図１、図２、図３、図４、図５、図６）を受容する穴１１と、ハウジングの前部と後部を接続するスロット８（図７）周りに延びる円筒形前部５上のマーク３２と、ハウジング１（図１、図２、図３）の回転可能な円筒形後部１０上のマーク３３とを有する。マーク３３は、ランナ１４の長手方向移動のためのハウジング１（図１、図２、図３）の円筒形後部１０の回転角度に関する視覚情報を操作者に提供するためのものである。ここで、ハウジング１はプラスチック製であり、その左半体及び右半体（図１）は別々に製造され、ハウジング内に、冠動脈ステント送達システム３１（図４、図５、図６）を受容する穴１７（図８）と、ハウジング１０（図６、図７、図８）の円筒形後部のネジ山１２（図６、図７）と係合する突起１５と、ハウジングの前部（図６、図７、図８）のガイド６に接続され、ランナ１４を移動させるためのための突起１６とを有するランナ１４（図４、図５、図６）を配置し、ランナ１４の穴１８（図７）に配置されるコレット２０（図４、図７、図８）であって、その軸回りに回転可能であり、ランナ１４内に収容されたフック２１（図４、図７、図８）を備えるコレットを配置し、冠動脈ステント送達システム３１を受容する穴２９（図５、図７）を有するキャップ２６（図５、図６、図７、図８）であって、保持具２３（図１、図２、図６、図７）内でランナ１４のネジ山１９（図４、図７、図８）と螺合し、ネジ山から取り外されるキャップを配置し、ハウジング１の前部２に配置される保持具２３であって、切欠き７（図１、図２、図３）にて保持具２３（図１、図２、図６）を回転させるための耳部２４（図１、図２、図３、図７）を用いて、保持具２３の回転時（図１、図２、図６）のキャップ２６の突起３０とスロット２５（図６、図７）との係合によってキャップ２６を螺合し、取り外す（図５、図６、図７、図８）保持具を配置した後、ハウジング（図５）の前部及びハウジングの後部における凹部及び突起９及び１３を用いて接続される。
【００５９】
送達システム３１（図１、図２、図３）を装置の内部に収容するために、操作者は保持具２３の耳部２４（図１、図２、図３、図７）を回転させる。その結果、保持具２３（図１、図２、図３、図７）が回転し、キャップ２６の突起３０（図５、図８）が保持具２３のスロット２５（図６、図７）に係合し、キャップ２６がランナ１４のネジ山１９（図４）から取り外され、コレット２０のフック２１が開いて（図４）、装置１の冠動脈ステント送達システム３１を受容する穴２２（図４、図８）を解放する。送達システム３１（図１、図２、図４、図５、図６）は、ハウジング１０の円筒形後部の開口部１１（図６、図７）、ランナ１４の開口部１７（図８）、キャップ２６の開口部２９（図５、図７）及びハウジングの前部２の開口部４（図６、図７）を通して挿入される。
【００６０】
次に、保持具２３は、保持具２３の耳部２４（図１、図２、図３、図７）を用いて反対方向（図５）に回転させられる。その結果、ランナ１４のキャップ２６は、ランナ１４のネジ山１９（図５）に螺合されて、コレット２０のフック２１を閉じ、送達システムを固定する。操作者は、ハウジング１の円筒形後部１０を回転させることにより、ハウジング１の後部１０（図１、図２、図３）の回転運動をランナ１４（図４、図５、図６）の並進運動に変換し、ハウジング１の前部５及び円筒形後部１０上の特殊なマーク３２及び３３（図１、図２、図３）をそれぞれ用いて前進をさらに視覚的に制御しながら、送達システム３１をその軸回りに回転可能であるように装置の内部で水平に前進させる。
実施形態２ 
【００６１】
この装置は、操作者の指用の凹部３（図１、図２、図３）と冠動脈ステント送達システム３１を受容する穴４（図１、図２、図３、図４、図５、図６）とを有する切頭前部２及び円筒形部５（図１、図２、図３）と、回転可能な円筒形後部１０とから形成されたハウジング１（図１）を備える。この円筒形後部は、冠動脈ステント送達システム３１を受容する穴１１（図１、図２、図３、図４、図５、図６）と、ハウジング１の円筒形前部５上のマーク３２であって、ハウジングの前部と後部を接続するスロット８（図７）周りに延びるマーク３２と、ハウジング１の回転可能な円筒形後部１０上のマーク３３（図１、図２、図３）とを有する。マーク３３は、ランナ１４の長手方向移動のためのハウジング１（図１、図２、図３）の円筒形後部１０の回転角度に関する視覚情報を操作者に提供するためのものである。ここで、ハウジング１はプラスチック製であり、その左半体及び右半体（図１）は別々に製造され、ハウジング内に、冠動脈ステント送達システム３１（図４、図５、図６）を受容する穴１７（図８）と、ハウジング１０（図６、図７、図８）の円筒形後部のネジ山１２（図６、図７）と係合する突起１５と、ハウジングの前部のガイド６（図６、図７、図８）に接続され、ランナ１４を移動させるためのための突起１６と、を有するランナ１４（図４、図５、図６）を配置し、ランナ１４（図９ａ）と一体的に形成されたクランプ３５（図９ａ、図９ｂ）であって、クランプ送達システム保持領域３６を有し、冠動脈ステント送達システム３１を受容する穴２９（図９）を有するランナ１４のキャップ２６（図９、図９ａ、図９ｂ）内に収容されるフラップ３４（図９ａ、図９ｂ）を備えるクランプ３５を配置し、保持具２３（図１、図２、図６、図７）内でランナ１４のネジ山１９（図９ａ、図９ｂ）と螺合し、ネジ山から取り外すことができるキャップ２６を配置し、ハウジング１の前部２に配置される保持具２３であって、切欠き７（図１、図２、図３）にて保持具２３（図１、図２、図６）を回転させるための耳部２４（図１、図２、図３、図７）を用いて、保持具２３の回転時（図１、図２、図６）のキャップ２６の突起３０とスロット２５（図６、図７）との係合によってキャップ２６を螺合し、取り外す（図５、図６、図７、図８）保持具２３を配置した後、ハウジング（図５）の前部及びハウジングの後部の凹部及び突起９及び１３を用いて接続される。
【００６２】
送達システム３１（図１、図２、図３）を装置の内部に収容するために、操作者は保持具２３の耳部２４（図１、図２、図３、図７）を回転させる。その結果、保持具２３（図１、図２、図３、図７）が回転し、キャップ２６の突起３０（図５、図９ａ）が保持具２３のスロット２５（図６、図７）に係合し、キャップ２６がランナ１４のネジ山１９（図９а、図９ｂ）から取り外され、クランプ３５のフラップ３４が開いて（図９а、図９ｂ）、装置の冠動脈ステント送達システム３１を受容する穴１７（図９ｂ）を解放する。送達システム３１（図１、図２、図４、図５、図６）は、ハウジング１０の円筒形後部の開口部１１（図６、図７）、ランナ１４の開口部１７（図８、図９ｂ）、キャップ２６の開口部２９（図５、図９ａ）及びハウジングの前部２の開口部４（図６、図７）を通して挿入される。
【００６３】
次に、保持具２３は、保持具２３の耳部２４（図１、図２、図３、図７）を用いて反対方向（図５）に回転させられる。その結果、ランナ１４のキャップ２６（図９、図９ａ、図９ｂ）は、ランナ１４のネジ山１９（図５、図９ａ、図９ｂ）に螺合されて、ランナ１４と一体的に形成されたクランプ３５のクランプ送達システム保持領域３６（図９、図９ｂ）のフラップ３４を閉じて送達システムを固定する。
【００６４】
操作者は、ハウジング１の円筒形後部１０を回転させることにより、ハウジング１の後部１０（図１、図２、図３）の回転運動をランナ１４（図４、図５、図６、図９、図 ９ａ、図９ｂ）の並進運動に変換し、ハウジング１の前部５及び円筒形後部１０上の特殊なマーク３２及び３３（図１、図２、図３）を用いて前進をさらに視覚的に制御しながら、送達システム３１を装置の内部で水平に前進させる。
実施形態３
【００６５】
装置は、ハウジング１（図１）を備える。ハウジング１は、操作者の指用の凹部３（図１、図２、図３）と冠動脈ステント送達システム３１を受容する穴４（図１、図２、図３、図４、図５、図６）とを有するハウジング１の切頭前部２及び円筒形前部５（図１、図２、図３）と、回転可能な円筒形後部１０とから形成される。この円筒形後部は、冠動脈ステント送達システム３１を受容する穴１１（図１、図２、図３、図４、図５、図６）と、ハウジングの前部と後部を接続するスロット８（図７）周りに延びるハウジング１の円筒形前部５上のマーク３２と、ハウジング１の回転可能な円筒形後部１０上のマーク３３（図１、図２、図３）とを有する。マーク３３は、ランナ１４の長手方向移動のためのハウジング１（図１、図２、図３）の円筒形後部１０の回転角度に関する視覚情報を操作者に提供するためのものである。ここで、ハウジング１はプラスチック製であり、その左半体及び右半体（図１）は別々に製造され、ハウジング内に、冠動脈ステント送達システム３１（図４、図５、図６）を受容する穴１７（図８）と、ハウジング１０（図６、図７、図８）の円筒形後部のネジ山１２（図６、図７）と係合する突起１５と、ハウジングの前部のガイド６に接続され、ランナ１４を移動させるためのための突起１６（図６、図７、図８）とを有するランナ１４（図４、図５、図６）を配置し、クランプブッシュ４０（図１０ａ）をその軸回りに回転可能に受容するランナ穴４５内に配置されるクランプ３８（図１０、図１０ａ）であって、ステント送達システム保持領域３９を有するフラップ３７（図１０、図１０ａ）と、冠動脈ステント送達システム３１を受容する穴４１（図１０、図１０ａ）とを有し、ランナ１４のキャップ２６（図１０、図１０ａ）に収容されるクランプ３８を配置し、保持具２３（図１、図２、図６、図７）の内側にてランナ１４のネジ山１９（図１０ａ）と螺合し、ネジ山から取り外すことがでるキャップ２６を配置し、ハウジング１の前部２に配置される保持具２３であって、切欠き７（図１、図２、図３）にて保持具２３（図１、図２、図６）を回転させるための耳部２４（図１、図２、図３、図７）を用いて、保持具２３の回転時（図１、図２、図６）のキャップ２６の突起３０とスロット２５（図６、図７）との係合によってキャップ２６を螺合し、取り外す（図５、図６、図７、図８、図１０、図１０ａ）保持具を配置した後、ハウジング（図５）の前部及びハウジングの後部での凹部及び突起９及び１３を用いて接続される。
【００６６】
送達システム３１（図１、図２、図３）を装置の内部に収容するために、操作者は保持具２３の耳部２４（図１、図２、図３、図７）を回転させる。その結果、保持具２３（図１、図２、図３、図７）が回転し、キャップ２６の突起３０（図５、図１０ａ）が保持具２３のスロット２５（図６、図７）に係合し、キャップ２６がランナ１４のネジ山１９（図１０、図１０а）から取り外され、ランナ１４のブッシュ１８（図１０ａ）内に収容されたクランプ３８のフラップ３７（図１０ａ）が開いて、冠動脈ステント送達システム３１を装置内に受容するクランプ３８の穴４１（図１０、図１０ａ）を解放する。送達システム３１（図１、図２、図４、図５、図６）は、ハウジング１０の円筒形後部の開口部１１（図６、図７）、ランナ１４の開口部１７（図１０）、キャップ２６の開口部２９（図５、図１０ａ）及びハウジングの前部２の開口部４（図６、図７）を通して挿入される。
【００６７】
次に、保持具２３は、保持具２３の耳部２４（図１、図２、図３、図７）を用いて反対方向（図５）に回転させられる。その結果、ランナ１４のキャップ２６（図１０、図１０ａ）は、ランナ１４のネジ山１９（図５、図１０ａ）に螺合されて、クランプ３８のステント送達システム保持領域３９（図１０、図１０ａ）内でフラップ３７を閉じ、送達システムを固定する。
【００６８】
操作者は、ハウジング１の円筒形後部１０を回転させることにより、ハウジング１の後部１０（図１、図２、図３）の回転運動をランナ１４（図４、図５、図６、図１０、図１０ａ）の並進運動に変換し、ハウジング１の前部５及び円筒形後部１０上の特殊なマーク３２及び３３（図１、図２、図３）をそれぞれ用いて前進をさらに視覚的に制御しながら、送達システム３１をその軸回りに回転可能であるように装置の内部で水平に前進させる。
実施形態４
【００６９】
装置は、ハウジング１（図１）を備える。ハウジング１は、操作者の指用の凹部３（図１、図２、図３）と、冠動脈ステント送達システム３１を受容する穴４（図１、図２、図３、図４、図５、図６）とを有するハウジング１の切頭前部２及び円筒形前部５（図１、図２、図３）と、ハウジング１の回転可能な円筒形後部１０とから形成される。この円筒形後部は、冠動脈ステント送達システム３１（図１、図２、図３、図４、図５、図６）を受容する穴１１と、ハウジングの前部と後部を接続するスロット８（図７）周りに延びるハウジング１の円筒形前部５上のマーク３２と、ハウジング１の回転可能な円筒形後部１０上のマーク３３（図１、図２、図３）とを有する。マーク３３は、ランナ１４の長手方向移動のためのハウジング１（図１、図２、図３）の円筒形後部１０の回転角度に関する視覚情報を操作者に提供するためのものである。ここで、ハウジング１はプラスチック製であり、その左半体及び右半体（図１）は別々に製造され、ハウジング内に、冠動脈ステント送達システム３１（図４、図５、図６）を受容する穴１７（図８）と、ハウジング１０（図６、図７、図８）の円筒形後部のネジ山１２（図６、図７）と係合する突起１５と、ハウジングの前部（図６、図７、図８）のガイド６に接続され、ランナ１４を移動させるためのための突起１６とを有するランナ１４（図４、図５、図６）を配置し、ゴム製ブッシュ４２ (図１１、図１１ａ)であって、キャップ及びランナの内側の類似する表面と一致する円錐形の端面と、キャップ２６（図１１、図１１ａ）に収容される冠動脈ステント送達システムを受容する穴４３とを有するゴム製ブッシュを配置し、保持具２３（図１、図２、図６、図７）内でランナ１４のネジ山１９（図１１ａ）と螺合し、ネジ山から取り外すことができるキャップ２６を配置し、ハウジング１の前部２に配置される保持具２３であって、切欠き７（図１、図２、図３）にて保持具２３（図１、図２、図６）を回転させるための耳部２４（図１、図２、図３、図７）を用いて、保持具２３の回転時（図 １、図２、図６)のキャップ２６の突起３０とスロット２５（図６、図７）との係合によってキャップ２６を螺合し、取り外す（図５、図６、図７、図８、図１１、図１１ａ）保持具を配置した後、ハウジング（図５）の前部及びハウジングの後部での凹部及び突起９及び１３を用いて接続される。
【００７０】
送達システム３１（図１、図２、図３）を装置の内部に収容するために、操作者は保持具２３の耳部２４（図１、図２、図３、図７）を回転させる。その結果、保持具２３（図１、図２、図３、図７）が回転し、キャップ２６の突起３０（図５、図８）が保持具２３のスロット２５（図６、図７）に係合し、キャップ２６がランナ１４のネジ山１９（図４）から取り外され、一方の側がランナ１４の円錐形部分４４（図１１、図１１ａ）に収容され、他方の側がキャップ２６（図１１、図１１ａ）に収容されるゴム製ブッシュ４２（図１１、図１１ａ）は、拡張して、装置内に冠動脈ステント送達システム３１を受容する開口部１７（図９ｂ）を解放する。送達システム３１（図１、図２、図４、図５、図６）は、ハウジング１０の円筒形後部の開口部１１（図６、図７）、ランナ１４の開口部１７（図８、図１１、図１１ａ）、ゴム製ブッシュ４２の開口部４３（図１１、図１１ａ）、キャップ２６の開口部２９（図５、図１１ａ）及びハウジングの前部２の開口部４（図６、図７）を通して挿入される。
【００７１】
次に、保持具２３は、保持具２３の耳部２４（図１、図２、図３、図７）を用いて反対方向（図５）に回転させられる。その結果、ランナ１４のキャップ２６（図１１、図１１ａ）は、ランナ１４のネジ山１９（図５、図１１ａ）に螺合されて、ゴム製ブッシュ４２（図１１、図１１ａ）を圧縮して送達システムを固定する。
【００７２】
操作者は、ハウジング１の円筒形後部１０を回転させることにより、ハウジング１の後部１０（図１、図２、図３）の回転運動をランナ１４（図４、図５、図６）の並進運動に変換し、ハウジング１の前部５及び円筒形後部１０上の特殊なマーク３２及び３３（図１、図２、図３）をそれぞれ用いて前進をさらに視覚的に制御しながら、送達システム３１を装置の内部で水平に前進させる。
【符号の説明】
【００７３】
１    装置のハウジング
２    ハウジングの切頭前部
３    操作者の指用の凹部
４    冠動脈ステント送達システムを受容する穴
５    ハウジングの円筒形前部
６    ランナガイド
７    ハウジング内の保持具切欠き
８    ハウジングの前部と後部を接続するためのスロット
９    ハウジングの前部を締結するための凹部及び突起
１０    ハウジングの円筒形後部
１１    送達システムを収容するためのハウジングの後部の穴
１２    ハウジング後部の雌ネジ
１３    ハウジングの後部を締結するための凹部及び突起
１４    ランナ
１５    ハウジングの後部内のネジ山と係合するランナ突起
１６    ハウジングガイド用のランナ突起
１７    冠動脈ステント送達システムを受容するランナ穴
１８    コレットを受容するランナ穴
１９    キャップを螺合するためのランナネジ山
２０    コレット
２１    コレットフック
２２    冠動脈ステント送達システムを受容するコレット穴
２３    保持具
２４    保持具の耳部
２５    保持スロット
２６    ランナキャップ
２７    ランナ雌ネジ
２８    キャップ円錐形部
２９    冠動脈ステント送達システムを受容するためのキャップ穴
３０    キャップの突起
３１    冠動脈ステント送達システム
３２    ハウジングの円筒形前部にランナを配置するためのマーク
３３    ハウジングの円筒形後部にランナを配置するためのマーク
３４    クランプフラップ
３５    クランプ
３６    プラスチック製クランプ送達システム保持領域
３６    バネ
３７    クランプフラップ
３８    クランプ
３９    冠動脈ステント送達システム保持領域
４０    ランナに接続するためのプラスチック製クランプブッシュ
４１    冠動脈ステント送達システムを受容するプラスチック製クランプ穴
４２    ゴム製ブッシュ
４３    冠動脈ステント送達システムを受容するゴム製ブッシュ穴
４４    ランナの内側の円錐形部分
４５    クランプブッシュを受容するランナ穴
【図１】
2020516332.tif 000003
【図２】
2020516332.tif 000004
【図３】
2020516332.tif 000005
【図４】
2020516332.tif 000006
【図５】
2020516332.tif 000007
【図６】
2020516332.tif 000008
【図７】
2020516332.tif 000009
【図８】
2020516332.tif 000010
【図９】
2020516332.tif 000011
【図９ａ】
2020516332.tif 000012
【図９ｂ】
2020516332.tif 000013
【図１０】
2020516332.tif 000014
【図１０ａ】
2020516332.tif 000015
【図１１】
2020516332.tif 000016
【図１１ａ】
2020516332.tif 000017
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りを回転することを可能にすることを特徴とする、装置において、
前記ハウジングの切頭前部は、操作者の手によって冠動脈ガイドを固定するための凹部を備え、
ランナが、前記ハウジングの前記円筒形後部の雌ネジと係合する突起と、一方の側で前記前部内部のガイドに沿って移動する突起と、前記ランナ内に収容されるフック付き金属製コレットと、を備え、
前記コレットは、他方の側で前記ランナに螺合するネジ付きキャップに配置され、前記ハウジングの両側の側孔内に突出する耳部を有する保持具内に配置され、前記ハウジングの前記スロットでは、ランナカップ上に突起が配置される、装置。
【請求項２】
前記ハウジングの前記前部上のほか、前記ハウジングの前記後部上に、前記ハウジングの前記前部を前記後部に接続する前記スロットに沿って特殊なマークを形成することを特徴とする、請求項１に記載の装置。
【請求項３】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りを回転することを可能にすることを特徴とする、装置において、
前記ハウジングの切頭前部に、操作者の手によって冠動脈ガイドを固定するための凹部を形成し、
ランナが、前記ハウジングの前記円筒形後部の前記雌ネジと係合する突起と、一方の側で前記ハウジングの前記前部内のガイドに沿って移動する突起と、前記ランナ内に収容され、前記ランナと一体的に形成され、他方の側で前記ランナに螺合するネジ付きキャップに収容されるプラスチック製クランプと、を備え、
前記ランナは、前記ハウジングの両側の側孔に突出する耳部を有する保持具内に配置され、前記ハウジングの前記スロットでは、ランナカップ上に突起が配置される、装置。
【請求項４】
前記ハウジングの前記前部上のほか、前記ハウジングの前記後部上に、前記ハウジングの前記前部を前記後部に接続する前記スロットに沿って特殊なマークを形成することを特徴とする、請求項３に記載の装置。
【請求項５】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りに回転することを可能にすることを特徴とする、装置において、
前記ハウジングの切頭前部に、操作者の手によって冠動脈ガイドを固定するための凹部を形成し、
ランナが、前記ハウジングの前記円筒形後部の前記雌ネジと係合する突起と、一方の側で前記ハウジングの前記前部内のガイドに沿って移動する突起と、前記ランナ内に配置されるプラスチック製クランプであって、その軸回りに回転可能であるように配置され、他方の側で前記ランナに螺合するネジ付きキャップに収容されるプラスチック製クランプと、を備え、
前記ランナは、前記ハウジングの両側の側孔に突出する耳部を有する保持具内に配置され、前記ハウジングの前記スロットでは、ランナカップ上に突起が配置される、装置。
【請求項６】
前記ハウジングの前記前部上のほか、前記ハウジングの前記後部上に、前記ハウジングの前記前部を前記後部に接続する前記スロットに沿って特殊なマークを形成することを特徴とする、請求項５に記載の装置。
【請求項７】
冠動脈内に冠動脈ステントを位置決めする装置であって、
スロットによって互いに接続された円筒形前部と雌ネジ付き後部とを有するハウジングを具備し、前記スロットは前記円筒形後部がその軸回りに回転することを可能にすることを特徴とする、装置において、
前記ハウジングの切頭前部に、操作者の手によって冠動脈ガイドを固定するための凹部を形成し、
ランナが、前記ハウジングの前記円筒形後部の前記雌ネジと係合する突起と、一方の側で前記ハウジングの前記前部内のガイドに沿って移動する突起と、前記ランナ内に配置されるゴム製ブッシュであって、キャップ及びランナのブッシュの内部円錐形表面と一致する円錐形端面を備え、
前記ブッシュは、前記キャップに配置され、他方の側で前記ランナに螺合するネジ山を備え、
前記ランナは、前記ハウジングの両側の側孔に突出する耳部を有する保持具内に配置され、前記ハウジングの前記スロットでは、ランナカップ上に突起が配置される、装置。
【請求項８】
前記ハウジングの前記前部上のほか、前記ハウジングの前記後部上に、前記ハウジングの前記前部を前記後部に接続する前記スロットに沿って特殊なマークを形成することを特徴とする、請求項７に記載の装置。
【請求項９】
冠動脈内に冠動脈ステントを位置決めする方法であって、
保持具内に配置されたキャップの側部突起が保持具のスロットと共に回転して、前記キャップをランナから取り外し、それによって、コレットのフックを開き、送達システムを受容する貫通孔を形成するように、保持具の耳部を回転させることによって、冠動脈ステント送達システムが装置のハウジングに収容され、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記コレットのフックを圧縮し、
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、
固定された前記送達システムは、前記装置内で必要な距離だけ水平に移動する一方、前記コレットはその軸回りに回転させられ、前記冠動脈ガイドは、前記ハウジングの切頭前部に形成された凹部に操作者の手によって押し付けられる、ことを特徴とする、方法。
【請求項１０】
冠動脈内に冠動脈ステントを位置決めする方法であって、
保持具内に配置されたキャップの側部突起が保持具のスロットと共に回転して、前記キャップをランナから取り外し、それによって、前記ランナと一体的に形成されたクランプのフラップを開き、送達システムを受容する貫通孔を形成するように、保持具の耳部を回転させることによって、冠動脈ステント送達システムが装置のハウジングに収容され、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記クランプのフラップを圧縮し、
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、
固定された前記送達システムは、前記装置内で必要な距離だけ水平に移動し、前記冠動脈ガイドは、前記ハウジングの切頭前部に形成された凹部に操作者の手によって押し付けられる、ことを特徴とする、方法。
【請求項１１】
冠動脈内に冠動脈ステントを位置決めする方法であって、
保持具内に配置されたキャップの側部突起が保持具のスロットと共に回転して、前記キャップをランナから取り外し、それによって、クランプのフラップを開き、送達システムを受容する貫通孔を形成するように、保持具の耳部を回転させることによって、冠動脈ステント送達システムが装置のハウジングに収容され、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記クランプのフラップを圧縮し、
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、
固定された前記送達システムは、前記装置内で必要な距離だけ水平に移動する一方、前記クランプはその軸回りに回転させられ、前記冠動脈ガイドは、前記ハウジングの切頭前部に形成された凹部に操作者の手によって押し付けられる、ことを特徴とする、方法。
【請求項１２】
冠動脈内に冠動脈ステントを位置決めする方法であって、
保持具内に配置されたキャップの側部突起が保持具のスロットと共に回転して、前記キャップをランナから取り外し、それによって、前記キャップに収容されるゴム製ブッシュを拡張し、送達システムを受容する貫通孔を形成するように、保持具の耳部を回転させることによって、冠動脈ステント送達システムが装置のハウジングに収容され、
前記冠動脈ステント送達システムは、前記ハウジングの前部及び後部の貫通孔を介して延びるガイド上に連続的に配置され、次に、保持具の耳部が反対方向に回転させられて、前記キャップを前記ランナに螺合し、前記ゴム製ブッシュを圧縮し、
前記送達システムは前記装置内に固定され、ゴム製端部の突起が前記ハウジングの前記円筒形後部の雌ネジに係合する結果として、前記ハウジングの前記円筒形後部の回転運動を前記ランナの並進運動に変換し、
固定された前記送達システムは、前記装置内で必要な距離だけ水平に移動する一方、前記クランプはその軸回りに回転させられ、前記冠動脈ガイドは、前記ハウジングの切頭前部に形成された凹部に操作者の手によって押し付けられる、ことを特徴とする、方法。
【国際調査報告】
2020516332.tif 000018
2020516332.tif 000019
2020516332.tif 000020
2020516332.tif 000021
2020516332.tif 000022
2020516332.tif 000023